(57)【要約】【課題】上部構造物に作用する水平力が微小な場合であっても、滑り部材により上沓を滑動させて下部構造物への水平力の伝達を遮断し、上下振動を受ける際にも安定した性能を発揮することができ、かつ、設置作業も簡便になる滑りゴム支承体を提供する。【解決手段】ゴム積層体６の上面に滑り部材４を表面に固定した上部フランジ部５を一体的に接合し、ゴム積層体６の下面と下沓８の上面とを固定して、ゴム積層体６、上部フランジ部５、および下沓８とを一体化させ、それぞれが上下に乖離しないようにするとともに、上部フランジ部５の橋軸直角方向両端部に設けた切欠部５ａと、下沓８に立設したサイドブロック９とを嵌合させて、上部フランジ部５の水平移動を規制して不動状態にする。【選択図】    図１
2008248593.tif 000002
【特許請求の範囲】
【請求項１】
上部構造物の下面に固定した上沓と、下部構造物の上面に固定した下沓との間にゴム層と鋼板とを交互に積層したゴム積層体を配置し、前記上沓の下面とゴム積層体の上面との間に滑り部材を設けるとともに、該滑り部材の水平移動を規制する規制手段を設けた滑りゴム支承体において、前記ゴム積層体を、その上面に前記滑り部材を表面に固定した上部フランジ部を一体的に接合して構成するとともに、前記上部フランジ部の橋軸直角方向両端部に設けた切欠部と、前記下沓に立設して該切欠部に嵌合するサイドブロックとにより前記規制手段を構成した滑りゴム支承体。
【請求項２】
前記ゴム積層体の下面と下沓の上面とを固定した請求項１に記載の滑りゴム支承体。
【請求項３】
前記滑り部材の上面周縁に面取りを施した請求項１または２に記載の滑りゴム支承体。
【請求項４】
前記切欠部とサイドブロックとの嵌合面の隙間に、切欠部またはサイドブロックに固設した隙間用滑り部材を介在させた請求項１〜３のいずれかに記載の滑りゴム支承体。
【発明の詳細な説明】
【技術分野】
【０００１】
本発明は、滑りゴム支承体に関し、さらに詳しくは、上部構造物に作用する水平力が微小な場合であっても、滑り部材により上沓を滑動させて下部構造物への水平力の伝達を遮断し、上下振動を受ける際にも安定した性能を発揮することができ、設置作業も簡便になる滑りゴム支承体に関するものである。
【背景技術】
【０００２】
滑りゴム支承体は、上部構造物に固定された上沓の下面と、ゴム積層体の上面との間に滑り部材を設け、上部構造物が水平力を受けた際に、上沓を滑り部材によって滑動させることにより水平力を減衰させるようにしている。ところが、微小な水平力の場合、滑り部材と滑り部材とに当接する部材との間の摩擦力よりも、水平力が小さくなるため、上沓が滑動しなくなる。そのため、ゴム積層体にせん断変形が生じ、上部構造物の水平変位がゴム積層体を介して下部構造物に伝わるという不具合が生じる。また、上沓の滑動による水平力を減衰させる効果を得られないという問題も生じる。
【０００３】
そこで、ゴム積層体の上面に、ゴム積層体とは独立した中間プレートを載置し、この中間プレートの表面に滑り部材を固定して上沓を滑動させるとともに、中間プレートの水平移動を拘束する拘束手段を設けた滑りゴム支承体が提案されている（例えば、特許文献１参照）。
【０００４】
しかしながら、この提案ではゴム積層体とは別に中間プレートを用意する必要があり、また、中間プレートをゴム積層体の上面の所定位置に載置する際の位置決めが面倒であるという問題があった。さらに、中間プレートはゴム積層体の上面に載置されているだけで、固定されていないため、上下振動が生じた場合は、上沓の下面と中間プレートとが上下に乖離するだけでなく、中間プレートとゴム積層体の上面とが上下に乖離することがある。そのため、上下振動を受ける際には、滑りゴム支承体として安定した性能を発揮することができないという問題があった。
【特許文献１】特許第２８４９７０１号公報
【発明の開示】
【発明が解決しようとする課題】
【０００５】
本発明の目的は、上部構造物に作用する水平力が微小な場合であっても、滑り部材により上沓を滑動させて下部構造物への水平力の伝達を遮断し、上下振動を受ける際にも安定した性能を発揮することができ、かつ、設置作業も簡便になる滑りゴム支承体を提供することにある。
【課題を解決するための手段】
【０００６】
上記目的を達成するため、本発明の滑りゴム支承体は、上部構造物の下面に固定した上沓と、下部構造物の上面に固定した下沓との間にゴム層と鋼板とを交互に積層したゴム積層体を配置し、前記上沓の下面とゴム積層体の上面との間に滑り部材を設けるとともに、該滑り部材の水平移動を規制する規制手段を設けた滑りゴム支承体において、前記ゴム積層体を、その上面に前記滑り部材を表面に固定した上部フランジ部を一体的に接合して構成するとともに、前記上部フランジ部の橋軸直角方向両端部に設けた切欠部と、前記下沓に立設して該切欠部に嵌合するサイドブロックとにより前記規制手段を構成したことを特徴とするものである。
【０００７】
ここで、前記ゴム積層体の下面と下沓の上面とを固定することもできる。また、前記滑り部材の上面周縁に面取りを施すこともできる。また、前記切欠部とサイドブロックとの嵌合面の隙間に、切欠部またはサイドブロックに固設した隙間用滑り部材を介在させることもできる。
【発明の効果】
【０００８】
本発明の滑りゴム支承体によれば、上沓と下沓との間に配置したゴム積層体を、その上面に滑り部材を表面に固定した上部フランジ部を一体的に接合して構成したので、ゴム積層体と上部フランジ部とが一体化し、上下振動を受ける場合に、それぞれが上下に乖離することがない。そのため、上下振動を受ける際にも、滑りゴム支承体として安定した性能を発揮することができる。また、従来のように別途、中間プレートを用意する必要もなく、中間プレートの面倒な位置決め作業も不要になる。
【０００９】
また、上部フランジ部の橋軸直角方向両端部に設けた切欠部と、下沓に立設して切欠部に嵌合するサイドブロックとにより、上部フランジ部の水平移動を規制する規制手段を構成したので、上部構造物に作用する水平力が微小な場合であっても、滑り部材と滑り部材と当接する部材との間の摩擦力に抗して、滑り部材により上沓を滑動させて下部構造物への水平力の伝達を遮断することができる。
【発明を実施するための最良の形態】
【００１０】
以下、本発明の滑りゴム支承体を図に示した実施形態に基づいて説明する。
【００１１】
図１〜図３に例示するように、本発明の滑りゴム支承体１は、橋梁等の上部構造物１３の下面に固定した上沓２と、橋脚等の下部構造物１４の上面に固定した下沓８との間にゴム層６ａと鋼板６ｂを交互に積層したゴム積層体６を配置している。上部構造物１３と上沓２とは、せん断キー１１ａおよびキー溝１２ａを介して固定されている。ゴム積層体６の下面に露出して埋設されている下部鋼板７と下沓８とには、キー溝１２ｂが形成され、このキー溝１２ｂおよびせん断キー１１ｂとにより、ゴム積層体６の下面と下沓８の上面とが固定されている。せん断キー１１ａ、１１ｂおよびキー溝１２ａ、１２ｂに代わって、ボルト等の締結手段を用いてもよい。
【００１２】
ゴム積層体６の上面には、上部フランジ部５が一体的に接合されている。この上部フランジ部５は、平面寸法をゴム積層体６の平面寸法よりも大きくすることで周縁部をゴム積層体６よりも突出させており、ゴム積層体６はいわゆる片フランジタイプになっている。この上部フランジ部５の表面には、滑り部材４がフランジ部５の表面から所定厚さを突出させて固定されている。この突出した滑り部材４の上面周縁には全周にわたって面取りが施されている。滑り部材４としては、ＰＴＦＥ（ポリテトラフルオロエチレン）や二硫化モリブデン焼付け材等を例示することができる。
【００１３】
尚、ゴム積層体６の下面と下沓８の上面とを加硫接着により一体化させた形態（いわゆる両フランジタイプ）にすることもできる。このような両フランジタイプのゴム積層体６では、下部鋼板７、せん断キー１１ｂ、キー溝１２ｂが不要になる。そのため、滑りゴム支承体１の高さを低くすることが容易になり、上部構造物１３と下部構造物１４との間のスペースが小さくて制約がある場合であっても設置することができ、また、構成部品が減ることによりコストダウンにもなる。
【００１４】
上沓２の下面にはステンレス鋼板３が接合されている。ステンレス鋼板３に代わり、例えば二硫化モリブデン焼付け材等を用いることができる。このステンレス鋼板３を滑り部材４の上面に当接させて上沓２が載置され、滑り部材４の上面を上沓２が滑動するように構成されている。
【００１５】
上部フランジ部５の橋軸直角方向両端部には、四角形状の切欠部５ａが設けられている。ゴム積層体６の橋軸直角方向両側には、固定ボルト１０により下沓８に固定されたサイドブロック９が立設されている。サイドブロック９の嵌合部９ａは、上部フランジ部５の切欠部５ａに嵌合し、これにより上部フランジ部５の水平方向の移動が規制されるようになっている。尚、図面では、橋軸方向をＸ方向で示し、橋軸直角方向をＹ方向で示している。また、サイドブロック９の上端係合部９ｂが、上沓２の係合フランジ部２ａを覆って両者が係合するように構成され、上沓２と下沓８との相対的な上下移動を規制するようにしている。
【００１６】
上部フランジ部５は、切欠部５ａと嵌合部９ａとの嵌合により、不動状態になるので、上部構造物１３に作用する水平力が微小な場合であっても、滑り部材４とステンレス鋼板３との間の摩擦力に抗して、上沓２が滑り部材４の上面を滑動することができる。これにより、ゴム積層体６にせん断変形が生じることがなく、ゴム積層体６を介して下部構造物１４への水平力の伝達を遮断することができる。また、上沓２が滑り部材４の上面を滑動することにより、水平力を減衰させることができる。
【００１７】
また、本発明では、ゴム積層体６、上部フランジ部５（滑り部材４）、および下沓８とが一体化しているので、上部構造物１３、下部構造物１４が上下振動を受ける場合に、これら３つのそれぞれの部材が上下に乖離することがない。即ち、上下に乖離する可能性があるのは、上沓２（ステンレス鋼板３）と上部フランジ部５（滑り部材４）との間のみとなり、従来の滑りゴム支承体に比べて上下方向の安定性が著しく向上する。そのため、上下振動を受ける際にも、上部構造物１３を支持する機能、上沓２を滑動させて水平力を減衰させる機能が損なわれにくくなり、滑りゴム支承体１として設計どおりの性能を安定して発揮することができる。
【００１８】
また、ゴム積層体６の上面と上部フランジ部５の下面との間、ゴム積層体６の下面と下沓８の上面との間には隙間がない構造になるので、砂等の異物が入り込んでそれぞれの部材の劣化が促進されることもない。さらに、滑り部材４を表面に固定した上部フランジ部５を、ゴム積層体６の上面に一体的に固定しているので、従来のように、別途、滑り部材４を表面に固定した中間プレートを用意する必要がなく、微調整が面倒である中間プレート（滑り部材４）の位置決め作業も不要になるので、滑りゴム支承体１の設置作業を簡便化することもできる。
【００１９】
この実施形態では、滑り部材４の上面周縁には全周にわたって面取りが施されているので、ステンレス鋼板３が滑り部材４の上面周縁で引っ掛かる等の不具合が生じることがなく、安定して上沓２を滑動させることができる。
【００２０】
尚、下部鋼板７と下沓８に形成されたキー溝１２ｂとせん断キー１１ｂを省略してゴム積層体６の下面と下沓８の上面とを固定せずに、ゴム積層体６を下沓８の上面に載置した構造にすることもできる。この構造では、上下振動を受ける場合に、ゴム積層体８と下沓８との間で、上下に乖離する可能性があるものの、ゴム積層体６と上部フランジ部５（滑り部材４）とは、上下に乖離することがないので、従来の滑りゴム支承体に比べて上下方向の安定性は向上する。
【００２１】
ところで、上部フランジ部５とサイドブロック９との嵌合面には、互いの製造上の寸法精度や取り付け精度により、若干の隙間が生じる。この隙間は、各部材の変形などにより経年的に増大することもある。この隙間が大きくなると、切欠部５ａと嵌合部９ａとを嵌合させても、上部フランジ部５の水平移動を規制して不動状態にすることができなくなる。
【００２２】
そこで、図４に例示するように、切欠部５ａと嵌合部９ａとの嵌合面の隙間に、隙間用滑り部材４ａを介在させて隙間を埋めるようにすることもできる。隙間用滑り部材４ａは、切欠部５ａまたは嵌合部９ａに固定する。隙間用滑り部材４ａは、橋軸方向の隙間だけ、或いは橋軸直角方向の隙間にも介在させることができる。
【００２３】
この構造によれば、上部フランジ部５の水平移動を完全に規制して不動状態を確保することができ、ゴム積層体６にせん断変形を生じさせることもない。上下方向に対しては、上部フランジ部５がサイドブロック９に対して滑動できるので、上部構造物１３を支持する機能を損なわせることもない。
【００２４】
サイドブロック９にネジ穴９ｃを形成し、このネジ穴９ｃに隙間用滑り部材４ａを挿入し、調整ネジ９ｄの進退移動により隙間用滑り部材４ａを、切欠部５ａと嵌合部９ａとの嵌合面の隙間に介在させることもできる。図４では、この機構を橋軸直角方向の隙間に適用しているが、橋軸方向の隙間にも適用することができる。
【図面の簡単な説明】
【００２５】
【図１】本発明の滑りゴム支承体を例示し、右半分を断面で示す正面図である。
【図２】図１のＡ―Ａ断面図である。
【図３】図１の側面図である。
【図４】図２のサイドブロックと切欠部との嵌合面の変形例を示す平面図である。
【符号の説明】
【００２６】
１  滑りゴム支承体
２  上沓
２ａ  係合フランジ部
３  ステンレス鋼板
４  滑り部材
４ａ  隙間用滑り部材
５  上部フランジ部
５ａ  切欠き部
６  ゴム積層体
６ａ  ゴム層
６ｂ  鋼板
７  下部鋼板
８  下沓
９  サイドブロック
９ａ  嵌合部
９ｂ  上端係合部
９ｃ  ネジ穴
９ｄ  調節ネジ
１０  固定ボルト
１１ａ、１１ｂ  せん断キー
１２ａ、１２ｂ  キー溝
１３  上部構造物
１４  下部構造物
【図１】
2008248593.tif 000003
【図２】
2008248593.tif 000004
【図３】
2008248593.tif 000005
【図４】
2008248593.tif 000006